(57)【要約】【課題】サイリスタ整流器の素子の短絡故障時における安全性を向上させる。【解決手段】実施形態におけるサイリスタ整流器の制御装置は、電力変換器の交流側電圧を入力して、前記交流側電圧の基準位相を出力する基準位相検出部と、所定の制御角信号と前記基準位相検出部より出力される基準位相とに基づいてゲートパルス入信号を発生させるゲートパルス発生部と、前記ゲートパルス入信号と前記電力変換器の交流側のヒューズの溶断信号とに基づいて、前記ゲートパルス入信号から選択したゲートパルス信号を前記電力変換器に出力するゲートパルス切替部とをもつ。【選択図】図１
2015233391.tif 000002
【特許請求の範囲】
【請求項１】
電力変換器の交流側電圧を入力して、前記交流側電圧の基準位相を出力する基準位相検出部と、
所定の制御角信号と前記基準位相検出部より出力される基準位相とに基づいてゲートパルス入信号を発生させるゲートパルス発生部と、
前記ゲートパルス入信号と前記電力変換器の交流側のヒューズの溶断信号とに基づいて、前記ゲートパルス入信号から選択したゲートパルス信号を前記電力変換器に出力するゲートパルス切替部と
を備えたことを特徴とする電力変換器の制御装置。
【請求項２】
電力変換器の交流側電圧を入力して、前記交流側電圧の基準位相を出力する基準位相検出部と、
所定の制御角信号と前記基準位相検出部より出力される基準位相とに基づいて前記電力変換器を点弧するためのゲートパルス信号を発生させるゲートパルス発生部と、
前記電力変換器の交流側電流を入力して、この交流側電流の値が所定範囲外となった時に前記電力変換器が故障であると判定し、この故障を示す故障信号を出力する故障検出部と、
前記故障検出部からの故障信号と前記電力変換器の交流側のヒューズの溶断信号とに基づいて前記電力変換器の故障を示す警報信号を出力する警報部と
を備えたことを特徴とする電力変換器の制御装置。
【請求項３】
サイリスタ整流器の交流側電圧を入力して、前記交流側電圧の基準位相を出力する基準位相検出部と、
所定のサイリスタ制御角信号と前記基準位相検出部より出力される基準位相とに基づいてゲートパルス入信号を発生させるゲートパルス発生部と、
前記ゲートパルス入信号と前記サイリスタ整流器の交流側のヒューズの溶断信号とに基づいて、前記ゲートパルス入信号から選択したゲートパルス信号を前記サイリスタ整流器に出力するゲートパルス切替部と
を備えたことを特徴とするサイリスタ整流器の制御装置。
【請求項４】
前記ゲートパルス切替部は、
前記溶断信号にて指定される所定の条件に従って前記ゲートパルス信号の切替指令信号を出力する判定部と、
前記判定部より出力される切替指令信号により前記ゲートパルス入信号から選択した信号を前記ゲートパルス信号として出力する切替部と
を有することを特徴とする請求項３に記載のサイリスタ整流器の制御装置。
【請求項５】
前記溶断信号にて指定される所定の条件に従って前記サイリスタ制御角信号を補正して前記ゲートパルス発生部へ出力する補正部をさらに備えた
ことを特徴とする請求項３に記載のサイリスタ整流器の制御装置。
【請求項６】
サイリスタ整流器の交流側電圧を入力して、前記交流側電圧の基準位相を出力する基準位相検出部と、
所定のサイリスタ制御角信号と前記基準位相検出部より出力される基準位相とに基づいて前記サイリスタ整流器を点弧するためのゲートパルス信号を発生させるゲートパルス発生部と、
前記サイリスタ整流器の交流側電流を入力して、この交流側電流の値が所定範囲外となった時に前記サイリスタ整流器が故障であると判定し、この故障を示す故障信号を出力する故障検出部と、
前記故障検出部からの故障信号と前記サイリスタ整流器の交流側のヒューズの溶断信号とに基づいて前記サイリスタ整流器の故障を示す警報信号を出力する警報部と
を備えたことを特徴とするサイリスタ整流器の制御装置。
【請求項７】
サイリスタ整流器の交流側電圧を入力して、前記交流側電圧の基準位相を出力する基準位相検出部と、
所定のサイリスタ制御角信号と前記基準位相検出部より出力される基準位相とに基づいてゲートパルス入信号を発生させるゲートパルス発生部と、
前記サイリスタ整流器の交流側電流を入力して、この交流側電流の値が所定範囲外となった時に前記サイリスタ整流器が故障であると判定し、この故障を示す故障信号を出力する故障検出部と、
前記ゲートパルス発生部からのゲートパルス入信号と前記故障検出部からの故障信号とに基づいて前記ゲートパルス入信号から選択したゲートパルス信号を前記サイリスタ整流器に出力するゲートパルス切替部と
を備えたことを特徴とするサイリスタ整流器の制御装置。
【請求項８】
前記ゲートパルス切替部は、
前記故障検出部からの故障信号にて指定される所定の条件に従い前記ゲートパルス信号の切替指令信号を出力する判定部と、
前記判定部より出力される切替指令信号により前記ゲートパルス入信号から選択した信号を前記ゲートパルス信号として出力する切替部と
を有することを特徴とする請求項７に記載のサイリスタ整流器の制御装置。
【請求項９】
前記故障検出部からの故障信号にて指定される所定の条件に従って前記サイリスタ制御角信号を補正して前記ゲートパルス発生部へ出力する補正部をさらに備えた
ことを特徴とする請求項７に記載のサイリスタ整流器の制御装置。
【請求項１０】
電力変換器の制御装置に適用される方法であって、
前記電力変換器の交流側電圧を入力して、前記交流側電圧の基準位相を出力し、
所定の制御角信号と前記出力される基準位相とに基づいてゲートパルス入信号を発生させ、
前記ゲートパルス入信号と前記電力変換器の交流側のヒューズの溶断信号とに基づいて、前記ゲートパルス入信号から選択したゲートパルス信号を前記電力変換器に出力する
ことを特徴とする電力変換器の制御方法。
【発明の詳細な説明】
【技術分野】
【０００１】
本発明の実施形態は、電力変換器の制御装置、サイリスタ整流器の制御装置および制御方法に関する。
【背景技術】
【０００２】
従来のサイリスタ整流器の位相制御部の適用例を説明する。図１５は、従来技術における、サイリスタ整流器の制御装置の一例を示す図である。この装置は、サイリスタ整流器の位相制御部に警報接点付きヒューズを適用したものである。
【０００３】
図１５に示すようにサイリスタ整流器の位相制御部２は、基準位相検出部２Ａ、ゲートパルス発生部２Ｂ、警報部２Ｃを有する。基準位相検出部２Ａは、サイリスタ整流器５の交流側電圧の基準位相を検出してゲートパルス発生部２Ｂに出力する。ゲートパルス発生部２Ｂは、基準位相と外部からの所定のサイリスタ制御角信号αとに応じて、サイリスタ整流器５の各サイリスタを点弧するためのゲートパルス信号を出力する。  
サイリスタ５Ｘのカソードにはサイリスタ５Ｕのアノードが接続され、サイリスタ５Ｙのカソードにはサイリスタ５Ｖのアノードが接続され、サイリスタ５Ｚのカソードにはサイリスタ５Ｗのアノードが接続される。サイリスタ５Ｘ，５Ｙ，５Ｚのアノードは共通であり、サイリスタ５Ｕ，５Ｖ，５Ｗのカソードは共通である。サイリスタ５Ｗのカソードとサイリスタ５Ｚのアノードの間には負荷６が並列に接続される。
【０００４】
交流電源１は、ＵＶＷ相の界磁遮断器３とＵＶＷ相の警報接点付きヒューズ４（４Ｕ，４Ｖ，４Ｗ）とを介してサイリスタ整流器５に入力される。警報接点付きヒューズ（Ｕ相用）４Ｕはサイリスタ５Ｕのアノードに接続され、警報接点付きヒューズ（Ｖ相用）４Ｖはサイリスタ５Ｖのアノードに接続され、警報接点付きヒューズ（Ｗ相用）４Ｗはサイリスタ５Ｗのアノードに接続される。これにより、交流電源１からの交流電圧が直流電圧に変換されて負荷６に印加される。
【０００５】
サイリスタ整流器５は、位相制御部２が出力するゲートパルス信号ＰＵ，ＰＸ，ＰＶ，ＰＹ，ＰＷ，ＰＺのタイミングに応じた直流電圧を出力する。この出力により、負荷６に流れる電流が所望の値に調整される。
【０００６】
次に、位相制御部２の動作の詳細を説明する。位相制御部２の基準位相検出部２Ａは、整流器交流電圧ＶＵ，ＶＶ，ＶＷを入力し、その線間電圧が０Ｖとなるポイントを基準点（基準位相）とし、ＵＶＷ相の基準位相ＳＵ，ＳＶ，ＳＷを位相制御部２のゲートパルス発生部２Ｂへ出力する。  
ゲートパルス発生部２Ｂは、外部からのサイリスタ制御角信号αと、基準位相検出部２Ａからの基準位相ＳＵ，ＳＶ，ＳＷとを入力する。ゲートパルス発生部２Ｂは、この基準位相よりサイリスタ制御角信号αだけ遅れたタイミングで、当該相のサイリスタ５Ｕ，５Ｘ，５Ｖ，５Ｙ，５Ｗ，５Ｚを点弧するためのゲートパルス信号ＰＵ，ＰＸ，ＰＶ，ＰＹ，ＰＷ，ＰＺを出力して、整流動作を行なう。
【０００７】
また、警報部２Ｃは、各相の警報接点付きヒューズ４Ｕ，４Ｖ，４Ｗの溶断の有無を示す溶断信号ＦＵ，ＦＶ，ＦＷの論理和を、サイリスタ整流器５の素子の故障を示す警報信号ＡＬとして出力する。すると警報部２Ｃは、所定の方法でサイリスタ整流器５の運転を停止する。この所定の方法の第１の例は、警報部２Ｃが警報信号ＡＬを出力することによりサイリスタ整流器５のゲートパルス信号ＰＵ，ＰＸ，ＰＶ，ＰＹ，ＰＷ，ＰＺを停止する方法である。第２の例は、警報部２Ｃが界磁遮断器３を遮断する方法である。
【先行技術文献】
【特許文献】
【０００８】
【特許文献１】特開２００９−２６８１６７号公報
【特許文献２】特開平５−３４４７０７号公報
【発明の概要】
【発明が解決しようとする課題】
【０００９】
従来技術において、サイリスタ整流器５の１素子が短絡故障することで警報接点付きヒューズ４が溶断することに伴って溶断信号ＦＵ，ＦＶ，ＦＷが「ＯＮ」となって警報部２Ｃへ入力された場合、この警報部２Ｃはサイリスタ整流器５の運転を停止するために警報信号ＡＬを出力する。
【００１０】
例えば、ブラシレス発電機の励磁装置に適用されるサイリスタ整流器で、1S-1P-6A構成の３相均一ブリッジ構成を採用している場合、サイリスタ整流器の１素子が短絡故障することにより１相の警報接点付きヒューズが溶断することで、発電機の運転が停止する。しかしこの場合、給電負荷の停電や電力系統への悪影響が生じる。
【００１１】
具体例として、サイリスタ整流器５が上記の励磁装置に適用される場合、サイリスタ整流器５Ｕにて短絡故障が生じて警報接点付きヒューズ（Ｕ相用）４Ｕが溶断した場合、位相制御部２の警報部２Ｃは、警報信号ＡＬを出力することで発電機の運転を停止する。
【００１２】
また、サイリスタ整流器５は、実際の運転状態では該サイリスタ整流器５の電流定格に対して大きな裕度をもたせて運転するケースがあり、サイリスタ整流器５の素子が短絡故障した場合でも警報接点付きヒューズ４が溶断しない場合がある。このように過電流が発生したにも関わらず警報接点付きヒューズ４が溶断しない場合、以下の問題が発生する可能性がある。
【００１３】
（１）過電流状態が継続する事による、周辺機器の過熱・損傷
（２）サイリスタ整流器５の出力の低下に伴う、不足励磁状態の発生
（３）サイリスタ整流器５のゲインの低下に伴う、制御系の応答性の悪化
また、従来技術においてサイリスタ整流器の１素子の故障を検出して電力変換器の運転が停止しない様にする技術がある。しかし、この技術は、直列接続されたサイリスタ素子に関するものであり、上記の問題を解決できない。
【００１４】
上記の問題に対し、最近は、サイリスタ整流器５の１素子が短絡故障した場合でも周辺機器への過熱・損傷を抑制しつつ運転を停止せず継続運転する要望がある。また、１素子が短絡故障した場合でも警報接点付きヒューズ４以外の手段で故障を検出したり表示したりして、素子の短絡故障時における安全性を確保したいとの要望があるが、かかる要望を実現する為の手段は知られていない。
【００１５】
本発明が解決しようとする課題は、素子の短絡故障時における安全性を向上させることが可能な電力変換器の制御装置、サイリスタ整流器の制御装置および制御方法を提供することである。
【課題を解決するための手段】
【００１６】
実施形態における電力変換器の制御装置は、電力変換器の交流側電圧を入力して、前記交流側電圧の基準位相を出力する基準位相検出部と、所定の制御角信号と前記基準位相検出部より出力される基準位相とに基づいてゲートパルス入信号を発生させるゲートパルス発生部と、前記ゲートパルス入信号と前記電力変換器の交流側のヒューズの溶断信号とに基づいて、前記ゲートパルス入信号から選択したゲートパルス信号を前記電力変換器に出力するゲートパルス切替部とをもつ。
【発明の効果】
【００１７】
本発明によれば、素子の短絡故障時における安全性を向上させることができる。
【図面の簡単な説明】
【００１８】
【図１】第１の実施形態における半導体電力変換器制御装置の位相制御部の構成例を示す図。
【図２】第１の実施形態における半導体電力変換器制御装置の位相制御部のゲートパルス切替部の機能構成例を示すブロック図。
【図３】第１の実施形態における半導体電力変換器制御装置の位相制御部の判定部にて判定する、出力するゲートパルス入信号と溶断信号の関係を表形式で示す図。
【図４】第１の実施形態における半導体電力変換器制御装置の警報接点付きヒューズが溶断した場合のゲートパルス信号の切替の一例を示す図。
【図５】第２の実施形態における半導体電力変換器制御装置の位相制御部の構成例を示す図。
【図６】第３の実施形態における半導体電力変換器制御装置の位相制御部の構成例を示す図。
【図７】第３の実施形態における半導体電力変換器制御装置の位相制御部の故障検出部の機能構成例を示すブロック図。
【図８】第４の実施形態における半導体電力変換器制御装置の位相制御部の構成例を示す図。
【図９】第４の実施形態における半導体電力変換器制御装置の位相制御部のゲートパルス切替部の機能構成例を示すブロック図。
【図１０】第４の実施形態における半導体電力変換器制御装置の位相制御部の判定部にて判定する、出力するゲートパルス信号の種別と故障信号の関係を表形式で示す図。
【図１１】第５の実施形態における半導体電力変換器制御装置の位相制御部の構成例を示す図である
【図１２】第６の実施形態における半導体電力変換器制御装置の位相制御部の構成例を示す図。
【図１３】第６の実施形態における半導体電力変換器制御装置の位相制御部のゲートパルス切替部の機能構成例を示すブロック図。
【図１４】第６の実施形態における半導体電力変換器制御装置の位相制御部の判定部にて判定する、出力するゲートパルス信号の種別と故障信号の関係を表形式で示す図。
【図１５】従来技術における、サイリスタ整流器の制御装置の一例を示す図。
【発明を実施するための形態】
【００１９】
以下、実施形態について図面を用いて説明する。  
（第１の実施形態）
まず、第１の実施形態について説明する。  
図１は、第１の実施形態における半導体電力変換器制御装置の位相制御部の構成例を示す図である。図１において、図１５と同一の符号は同一の部分又は相当する部分を示し、すでに説明した部分の詳細な説明は省略する。この半導体電力変換器は電力変換器の一例として示す。  
図１５に示した構成と比較して、第１の実施形態における位相制御部２は、ゲートパルス切替部２Ｄをさらに有する。  
基準位相検出部２Ａは、整流器交流電圧の０Ｖ点を検出する。ゲートパルス発生部２Ｂは、ゲートパルス信号の元となるゲートパルス入信号を基準位相からサイリスタ制御角信号αだけ遅らせて出力する。そして、ゲートパルス切替部２Ｄは、各ゲートパルス信号ＰＵ，ＰＸ，ＰＶ，ＰＹ，ＰＷ，ＰＺの出力のＯＮ／ＯＦＦおよび種別を警報接点付きヒューズ４Ｕ，４Ｖ，４Ｗの溶断信号ＦＵ，ＦＶ，ＦＷの状態により切替える。
【００２０】
図２は、第１の実施形態における半導体電力変換器制御装置の位相制御部２のゲートパルス切替部２Ｄの機能構成例を示すブロック図である。  
図２に示すように、ゲートパルス切替部２Ｄは、判定部２Ｌと切替部２Ｋを有する。判定部２Ｌは、警報接点付きヒューズ４と切替部２Ｋに接続される。
【００２１】
判定部２Ｌは、出力するゲートパルス信号のＯＮ／ＯＦＦおよび種別を溶断信号ＦＵ，ＦＶ，ＦＷの状態により判定する。切替部２Ｋは、ゲートパルス入信号を用いて出力するゲートパルス信号を判定部２Ｌによる判定結果に応じて切替える。
【００２２】
位相制御部２の動作の詳細を説明する。位相制御部２の基準位相検出部２Ａは整流器交流電圧（Ｕ相用,Ｖ相用,Ｗ相用）の基準位相ＳＵ，ＳＶ，ＳＷを検出する。  
この基準位相を位相制御の基準点として、ゲートパルス発生部２Ｂは、外部からのサイリスタ制御角信号αと、基準位相検出部２Ａからの基準位相ＳＵ，ＳＶ，ＳＷとを入力する。ゲートパルス発生部２Ｂは、この基準位相よりサイリスタ制御角信号αだけ遅れたタイミングで、ゲートパルス信号の元となるゲートパルス入信号ＰＬＵ，ＰＬＸ，ＰＬＶ，ＰＬＹ，ＰＬＷ，ＰＬＺをゲートパルス切替部２Ｄの切替部２Ｋに出力する。  
切替部２Ｋは、ゲートパルス発生部２Ｂよりゲートパルス入信号ＰＬＵ〜ＰＬＺを入力する。  
警報接点付きヒューズ４の溶断信号ＦＵ，ＦＶ，ＦＷがすべてＯＦＦの時は、判定部２Ｌは、所定の切替指令信号ＰＳを切替部２Ｋへ出力する。この信号は、ゲートパルス入信号ＰＬＵ，ＰＬＸ，ＰＬＶ，ＰＬＹ，ＰＬＷ，ＰＬＺをそのままゲートパルス信号ＰＵ，ＰＸ，ＰＶ，ＰＹ，ＰＷ，ＰＺに切り替えて出力するよう指令するための信号である。
【００２３】
溶断信号ＦＵがＯＮでその他の溶断信号ＦＶ，ＦＷがＯＦＦの時は、判定部２Ｌは、所定の切替指令信号ＰＳを切替部２Ｋへ出力する。この信号は、出力するゲートパルス信号ＰＵ，ＰＸをＯＦＦとする事で短絡故障が発生した相を除外し、かつ、健全相のＶ−Ｗ線間電圧を基準位相として制御されているゲートパルス入信号ＰＬＷ、ＰＬＺを用いて単相運転を行うよう指令するための信号である。
【００２４】
溶断信号ＦＶがＯＮでその他の溶断信号ＦＵ，ＦＷがＯＦＦの時は、判定部２Ｌは、所定の切替指令信号ＰＳを切替部２Ｋへ出力する。この信号は、出力するゲートパルス信号ＰＶ，ＰＹをＯＦＦとする事で短絡故障が発生した相を除外し、かつ、健全相のＵ−Ｗ線間電圧を基準位相として制御されているゲートパルス入信号ＰＬＵ，ＰＬＸを用いて単相運転を行なうよう指令するための信号である。
【００２５】
溶断信号ＦＷがＯＮでその他の溶断信号ＦＵ，ＦＶがＯＦＦの時は、判定部２Ｌは、所定の切替指令信号ＰＳを切替部２Ｋへ出力する。この信号は、出力するゲートパルス信号ＰＷ，ＰＺをＯＦＦとする事で短絡故障が発生した相を除外し、かつ、健全相のＵ−Ｖ線間電圧を基準位相として制御されているゲートパルス入信号ＰＬＶ，ＰＬＹを用いて単相運転を行うよう指令するための信号である。
【００２６】
溶断信号ＦＵ，ＦＶ、ＦＷのうち複数がＯＮとなっている場合はサイリスタ整流器５の運転は不可能である。この場合、判定部２Ｌは、ゲートパルス信号を全てＯＦＦとするよう指令するための切替指令信号ＰＳを切替部２Ｋへ出力する。
【００２７】
図３は、第１の実施形態における半導体電力変換器制御装置の位相制御部２の判定部２Ｌにて判定する、出力するゲートパルス信号の種別と溶断信号の関係を表形式で示す図である。  
図４は、第１の実施形態における半導体電力変換器制御装置の警報接点付きヒューズが溶断した場合のゲートパルス信号の切替の一例を示す図である。  
溶断信号ＦＵがＯＮでその他の溶断信号がＯＦＦの時は、図３に示すように、ゲートパルス信号ＰＵ，ＰＸがＯＦＦとなり、ゲートパルス入信号ＰＬＺがゲートパルス信号ＰＶおよびＰＺに切り替えて出力され、ゲートパルス入信号ＰＬＷがゲートパルス信号ＰＹおよびＰＷに切り替えて出力される。つまり図４に示すように、Ｗ相およびＺ相のゲートパルス信号を用いて単相ブリッジによりサイリスタ整流器５が制御される。
【００２８】
溶断信号ＦＶがＯＮでその他の溶断信号がＯＦＦの時は、ゲートパルス信号ＰＶ，ＰＹがＯＦＦとなり、ゲートパルス入信号ＰＬＵがゲートパルス信号ＰＵおよびＰＺに切り替えて出力され、ゲートパルス入信号ＰＬＸがゲートパルス信号ＰＸおよびＰＷに切り替えて出力される。
【００２９】
溶断信号ＦＷがＯＮでその他の溶断信号がＯＦＦの時は、ゲートパルス信号ＰＷ，ＰＺがＯＦＦとなり、ゲートパルス入信号ＰＬＹがゲートパルス信号ＰＵおよびＰＹに切り替えて出力され、ゲートパルス入信号ＰＬＶがゲートパルス信号ＰＸおよびＰＶに切り替えて出力される。
【００３０】
このように、位相制御部２がゲートパルス切替部２Ｄを有する構成とした事で、警報接点付きヒューズ４の１素子に短絡故障が発生した場合に、この短絡故障が発生した相を除外して、残りの健全相で単相均一ブリッジに縮退して運転を継続することができる。
【００３１】
以上のように、第１の実施形態では、サイリスタ整流器５の位相制御を行う場合、サイリスタ整流器５の１素子の短絡故障が生じて警報接点付きヒューズ４が溶断した場合でも、運転を停止せずに単相均一ブリッジとして継続運転できるようにサイリスタ整流器５を制御することができる。
【００３２】
（第２の実施形態）
次に、第２の実施形態について説明する。なお、以下の各実施形態における構成のうち第１の実施形態で説明した部分と同一部分の詳細な説明は省略する。  
図５は、第２の実施形態における半導体電力変換器制御装置の位相制御部の構成例を示す図である。  
第１の実施形態と比較して、第２の実施形態における位相制御部２は、補正部２Ｅをさらに有する。この補正部２Ｅは、警報部２Ｃの出力側とゲートパルス発生部２Ｂの入力側との間に接続される。  
補正部２Ｅは、サイリスタ制御角信号αと警報信号ＡＬとを入力し、この警報信号ＡＬが出力されている期間、サイリスタ制御角信号αの制御ゲインを１．５倍（α＝９０°からの偏差に１．５倍)に切り替える。
【００３３】
第２の実施形態によれば、第１の実施形態と同じく、サイリスタ整流器５の位相制御を行う場合、サイリスタ整流器５の１素子の短絡故障が生じて警報接点付きヒューズ４が溶断した場合でも運転を停止せずに単相均一ブリッジとして継続運転できるサイリスタ整流器５を制御できる。
【００３４】
サイリスタ整流器５の１素子の短絡故障が生じることで警報接点付きヒューズ４が溶断し、単相均一ブリッジとして運転継続した場合、３相均一ブリッジとして運転した場合と比較して、サイリスタ整流器５の出力電圧が０．６７倍に低下する。しかし、第２の実施形態のように、サイリスタ制御角信号αの制御ゲインを１．５倍として継続運転する事で、第１の実施形態のように単相均一ブリッジとして継続運転するときと比較して、制御系の応答性を悪化させる事なくサイリスタ整流器５を制御できる。
【００３５】
（第３の実施形態）
次に、第３の実施形態について説明する。  
図６は、第３の実施形態における半導体電力変換器制御装置の位相制御部の構成例を示す図である。  
図１５に示した構成と比較して、第３の実施形態では、サイリスタ整流器変流器７Ｕ，７Ｖ，７Ｗが設けられる。また、位相制御部２は故障検出部２Ｆを有する。故障検出部２Ｆは、サイリスタ整流器変流器７Ｕ，７Ｖ，７Ｗと警報部２Ｃに接続される。
【００３６】
図７は、第３の実施形態における半導体電力変換器制御装置の位相制御部の故障検出部の機能構成例を示すブロック図である。  
図７に示すように、故障検出部２Ｆは、流出方向過電流検出部８Ｕ，８Ｖ，８Ｗ、流入方向過電流検出部８Ｘ，８Ｙ，８Ｚ、論理積回路１０Ｕ，１０Ｘ，１０Ｖ，１０Ｙ，１０Ｗ，１０Ｚ、保持部１１Ｕ，１１Ｘ，１１Ｖ，１１Ｙ，１１Ｗ，１１Ｚを有する。
【００３７】
故障検出部２Ｆの動作を説明する。故障検出部２Ｆの流出方向過電流検出部８Ｕ，８Ｖ，８Ｗと、流入方向過電流検出部８Ｘ，８Ｙ，８Ｚとのそれぞれは、対応する相の整流器交流電流ＣＵ，ＣＶ，ＣＷを入力する。
【００３８】
流出方向過電流検出部８Ｕ，８Ｖ，８Ｗと流入方向過電流検出部８Ｘ，８Ｙ，８Ｚは、対応する相の整流器交流電流ＣＵ，ＣＶ，ＣＷそれぞれの流入方向と流出方向の過電流を検出し、対応する相の過電流信号ＯＣＵ，ＯＣＸ，ＯＣＶ，ＯＣＹ，ＯＣＷ，ＯＣＺとして論理積回路１０へ出力する。  
具体的には、過電流信号ＯＣＵは、論理積回路１０Ｕ，１０Ｙ，１０Ｚに入力され、過電流信号ＯＣＸは、論理積回路１０Ｘ，１０Ｖ，１０Ｗに入力され、過電流信号ＯＣＶは、論理積回路１０Ｖ，１０Ｘ，１０Ｚに入力され、過電流信号ＯＣＹは、論理積回路１０Ｙ，１０Ｕ，１０Ｗに入力され、過電流信号ＯＣＷは、論理積回路１０Ｗ，１０Ｘ，１０Ｙに入力され、過電流信号ＯＣＺは、論理積回路１０Ｚ，１０Ｕ，１０Ｖに入力される。
【００３９】
故障検出部２Ｆは、論理積回路１０による論理積演算よってサイリスタ整流器５における短絡故障したサイリスタ素子を特定し、過電流故障信号ＥＳＵ，ＥＳＸ，ＥＳＶ，ＥＳＹ，ＥＳＷ，ＥＳＺとして保持部１１へ出力する。  
具体的には、論理積回路１０Ｕは、過電流故障信号ＥＳＵを保持部１１Ｕに出力し、論理積回路１０Ｘは、過電流故障信号ＥＳＸを保持部１１Ｘに出力し、論理積回路１０Ｖは、過電流故障信号ＥＳＶを保持部１１Ｖに出力し、論理積回路１０Ｙは、過電流故障信号ＥＳＹを保持部１１Ｙに出力し、論理積回路１０Ｗは、過電流故障信号ＥＳＷを保持部１１Ｗに出力し、論理積回路１０Ｚは、過電流故障信号ＥＳＺを保持部１１Ｚに出力する。
【００４０】
保持部１１は、過電流故障信号ＥＳＵ，ＥＳＸ，ＥＳＶ，ＥＳＹ，ＥＳＷ，ＥＳＺを入力し、この過電流故障信号をサイリスタ整流器５の運転が停止されるまで保持したのち、故障信号ＥＵ，ＥＸ，ＥＶ，ＥＹ，ＥＷ，ＥＺとして警報部２Ｃに出力する。  
具体的には、保持部１１Ｕは、過電流故障信号ＥＳＵを用いて故障信号ＥＵを出力し、保持部１１Ｘは、過電流故障信号ＥＳＸを用いて故障信号ＥＸを出力し、保持部１１Ｖは、過電流故障信号ＥＳＶを用いて故障信号ＥＶを出力し、保持部１１Ｙは、過電流故障信号ＥＳＹを用いて故障信号ＥＹを出力し、保持部１１Ｗは、過電流故障信号ＥＳＷを用いて故障信号ＥＷを出力し、保持部１１Ｚは、過電流故障信号ＥＳＺを用いて故障信号ＥＺを出力する。
【００４１】
警報部２Ｃは、故障検出部２Ｆから入力される故障信号ＥＵ，ＥＸ，ＥＶ，ＥＹ，ＥＷ，ＥＺのそれぞれと、警報接点付きヒューズ４から入力される溶断信号ＦＵ，ＦＶ，ＦＷのそれぞれとの論理和を警報信号ＡＬとして出力する。
【００４２】
例えば、サイリスタ整流器５Ｕが短絡故障した場合、サイリスタ整流器５Ｖ又は５Ｗが点弧した際に過電流となる。この場合、サイリスタ整流器変流器７Ｕからの整流器交流電流ＣＵが流出方向過電流検出部８Ｕに入力されることで、流出方向の過電流信号ＯＣＵがＯＮとなり、サイリスタ整流器変流器７Ｖ，７Ｗからの整流器交流電流ＣＶ，ＣＷが流入方向過電流検出部８Ｘに入力されることで流入方向の過電流信号ＯＣＹ又はＯＣＺがＯＮとなる。従って、過電流信号ＯＣＵ，ＯＣＹ，ＯＣＺの論理積がサイリスタ整流器５Ｕの故障信号ＥＳＵとして保持部１１Ｕへ出力される。尚、過電流状態は連続しないので、保持部１１ＵはＵ相の過電流故障信号ＥＳＵを保持して故障信号ＥＵとして出力する。
【００４３】
第２の実施形態によれば、サイリスタ整流器５の位相制御を行う場合、サイリスタ整流器５の１素子の短絡故障が生じたにも関わらず警報接点付きヒューズ４が溶断しない場合でも、故障検出部２Ｆを動作させることで素子故障による過電流の流入相と流出相との関係に基づいて故障した素子を特定する事ができ、サイリスタ整流器５の１素子の短絡故障未検出に伴う過電流状態の継続による、周辺機器の過熱・損傷を抑制することができる。
【００４４】
（第４の実施形態）
次に、第４の実施形態について説明する。  
図８は、第４の実施形態における半導体電力変換器制御装置の位相制御部の構成例を示す図である。  
第３の実施形態と比較して、第４の実施形態では、位相制御部２は、ゲートパルス切替部２Ｇを有する。
【００４５】
図９は、第４の実施形態における半導体電力変換器制御装置の位相制御部のゲートパルス切替部の機能構成例を示すブロック図である。  
図９に示すように、このゲートパルス切替部２Ｇは、判定部２Ｍと、切替部２Ｋとを有する。判定部２Ｍは、ゲートパルス発生部２Ｂ、故障検出部２Ｆ、切替部２Ｋに接続される。判定部２Ｍは、出力するゲートパルス信号のＯＮ／ＯＦＦおよび種別を故障信号ＥＵ，ＥＸ，ＥＶ，ＥＹ，ＥＷ，ＥＺの状態により判定する。切替部２Ｋは、ゲートパルス入信号を用いて出力するゲートパルス信号を判定部２Ｍによる判定結果に応じて切替える。
【００４６】
ゲートパルス切替部２Ｇの動作を説明する。ゲートパルス切替部２Ｇの判定部２Ｍは、故障検出部２Ｆより故障信号ＥＵ，ＥＸ，ＥＶ，ＥＹ，ＥＷ，ＥＺを入力する。これらの故障信号がすべてＯＦＦの時は、判定部２Ｍは、所定の切替指令信号ＰＳを切替部２Ｋへ出力する。この所定の信号は、ゲートパルス入信号をゲートパルス信号としてそのまま出力するよう指令するための信号である。
【００４７】
例えば、故障信号ＥＵがＯＮで、その他の故障信号ＥＸ，ＥＶ，ＥＹ，ＥＷ，ＥＺがＯＦＦの時は、判定部２Ｍは、出力するゲートパルス信号ＰＶ，ＰＷをＯＦＦするための切替指令信号ＰＳを切替部２Ｋへ出力する。このようにして短絡時の過電流を供給するサイリスタ整流器５Ｖ，５Ｗをゲートブロックすることにより、過電流が流れないようにする。つまり、短絡故障したサイリスタ整流器５Ｕを導通させたまま、運転を継続できる。
【００４８】
また、故障信号ＥＵ，ＥＸ，ＥＶ，ＥＹ，ＥＷ，ＥＺのうちの複数がＯＮとなった場合、サイリスタ整流器５の運転は不可能である。そこで、判定部２Ｍは、出力するゲートパルス信号ＰＵ〜ＰＺを全てＯＦＦとするための切替指令信号ＰＳを切替部２Ｋへ出力する。
【００４９】
図１０は、第４の実施形態における半導体電力変換器制御装置の位相制御部２の判定部２Ｍにて判定する、出力するゲートパルス信号の種別と故障信号の関係を表形式で示す図である。  
図１０に示すように、故障信号ＥＵがＯＮでその他の故障信号がＯＦＦの時は、ゲートパルス信号ＰＶ，ＰＷがＯＦＦとなり、ゲートパルス入信号ＰＬＵ，ＰＬＸ，ＰＬＹ，ＰＬＺがゲートパルス信号に切り替えて出力される。  
故障信号ＥＸがＯＮでその他の故障信号がＯＦＦの時は、ゲートパルス信号ＰＹ，ＰＺがＯＦＦとなり、ゲートパルス入信号ＰＬＵ，ＰＬＸ，ＰＬＶ，ＰＬＷがゲートパルス信号に切り替えて出力される。  
故障信号ＥＶがＯＮでその他の故障信号がＯＦＦの時は、ゲートパルス信号ＰＵ，ＰＷがＯＦＦとなり、ゲートパルス入信号ＰＬＸ，ＰＬＶ，ＰＬＹ，ＰＬＺがゲートパルス信号に切り替えて出力される。  
故障信号ＥＹがＯＮでその他の故障信号がＯＦＦの時は、ゲートパルス信号ＰＸ，ＰＺがＯＦＦとなり、ゲートパルス入信号ＰＬＵ，ＰＬＶ，ＰＬＹ，ＰＬＷがゲートパルス信号に切り替えて出力される。  
故障信号ＥＷがＯＮでその他の故障信号がＯＦＦの時は、ゲートパルス信号ＰＵ，ＰＶがＯＦＦとなり、ゲートパルス入信号ＰＬＸ，ＰＬＹ，ＰＬＷ，ＰＬＺがゲートパルス信号に切り替えて出力される。  
故障信号ＥＺがＯＮでその他の故障信号がＯＦＦの時は、ゲートパルス信号ＰＸ，ＰＹがＯＦＦとなり、ゲートパルス入信号ＰＬＵ，ＰＬＶ，ＰＬＷ，ＰＬＺがゲートパルス信号に切り替えて出力される。
【００５０】
第４の実施形態によれば、第３の実施形態と同じく、サイリスタ整流器５の位相制御を行う場合、サイリスタ整流器５の１素子の短絡故障が生じたにも関わらず警報接点付きヒューズ４が溶断しない場合でも、故障検出部２Ｆを動作させることで素子故障による過電流の流入相と流出相との関係から故障した素子を特定する事ができるので、サイリスタ整流器５の１素子の短絡故障未検出に伴う過電流状態の継続による、周辺機器の過熱・損傷を抑制することができる。
【００５１】
また、第４の実施形態によれば、サイリスタ整流器５の１素子の短絡故障が生じたにも関わらず警報接点付きヒューズ４が溶断しない場合でも、ゲートパルス切替部２Ｇを動作させることで過電流を抑制して周辺機器への過熱・損傷を抑制し、かつ、運転を停止せずに、短絡故障したサイリスタ整流器５を用いて縮退して継続運転するためのサイリスタ整流器５の制御を行なえる。
【００５２】
（第５の実施形態）
次に、第５の実施形態について説明する。  
図１１は、第５の実施形態における半導体電力変換器制御装置の位相制御部の構成例を示す図である。  
第４の実施形態と比較して、第５の実施形態では、位相制御部２は、ゲートパルス発生部２Ｂに入力されるサイリスタ制御角信号αの補正部２Ｈを有する。補正部２Ｈは、警報部２Ｃの出力側とゲートパルス発生部２Ｂの入力側との間に接続される。
【００５３】
動作を説明すると、補正部２Ｈは、サイリスタ制御角信号αと故障信号ＥＵ，ＥＸ，ＥＶ，ＥＹ，ＥＷ，ＥＺとを入力し、これらの故障信号ＥＵ，ＥＸ，ＥＶ，ＥＹ，ＥＷ，ＥＺの何れか１つでもＯＮとして出力されている期間は、サイリスタ制御角信号αの制御ゲインを２倍（α＝９０°からの偏差の２倍)に切り替える。
【００５４】
第５の実施形態によれば、第３，４の実施形態と同じく、サイリスタ整流器５の位相制御を行う場合、サイリスタ整流器５の１素子の短絡故障が生じたにも関わらず警報接点付きヒューズ４が溶断しない場合でも、故障検出部２Ｆを動作させることで素子故障による過電流の流入相と流出相との関係から故障した素子を特定する事ができる。よって、サイリスタ整流器５の１素子の短絡故障未検出に伴う過電流状態の継続による、周辺機器の過熱・損傷を抑制することができる。
【００５５】
また、第５の実施形態によれば、第４の実施形態と同じく、サイリスタ整流器５の１素子の短絡故障が生じたにも関わらず警報接点付きヒューズ４が溶断しない場合でも、ゲートパルス切替部２Ｇを動作させることで過電流を抑制し周辺機器への過熱・損傷を抑制し、かつ、運転を停止せず、短絡故障したサイリスタ整流器５を用いて縮退して継続運転するためのサイリスタ整流器５の制御を行なえる。
【００５６】
また、サイリスタ整流器５の１素子の短絡故障が生じたにも関わらず警報接点付きヒューズ４が溶断せず短絡故障したサイリスタ整流器５を用いて縮退して運転継続した場合、３相均一ブリッジとして運転した場合と比較して、サイリスタ整流器５の出力電圧が約０．５倍に低下する。しかし、第５の実施形態のようにサイリスタ制御角信号αの制御ゲインを２倍とする補正部２Ｈを設けて継続運転する事で、第４の実施形態で説明した、短絡故障したサイリスタ整流器５を用いて縮退して継続運転する場合より、制御系の応答性を悪化させる事無くサイリスタ整流器５の制御を行う事ができる。
【００５７】
（第６の実施形態）
次に、第６の実施形態について説明する。  
図１２は、第６の実施形態における半導体電力変換器制御装置の位相制御部の構成例を示す図である。  
図１５に示した構成と比較して、第６の実施形態では、位相制御部２は、警報部２Ｃ、故障検出部２Ｆ、ゲートパルス切替部２Ｉ、補正部２Ｊを有する。
【００５８】
ゲートパルス切替部２Ｉは、ゲートパルス入信号を用いて出力するゲートパルスを、警報接点付きヒューズ４の溶断信号ＦＵ，ＦＶ，ＦＷの状態と、故障信号ＥＵ，ＥＸ，ＥＶ，ＥＹ，ＥＷ，ＥＺの状態により切替える。
【００５９】
補正部２Ｊは、溶断信号ＦＵ，ＦＶ，ＦＷの状態と、故障信号ＥＵ，ＥＸ，ＥＶ，ＥＹＥＷ，ＥＺの状態により、ゲートパルス発生部２Ｂに入力するサイリスタ制御角信号αの制御ゲインを補正する。
【００６０】
図１３は、第４の実施形態における半導体電力変換器制御装置の位相制御部のゲートパルス切替部の機能構成例を示すブロック図である。  
図１３に示すように、ゲートパルス切替部２Ｉは、判定部２Ｎ、切替部２Ｋを有する。判定部２Ｎは、ゲートパルス発生部２Ｂ、故障検出部２Ｆ、警報接点付きヒューズ４と接続される。  
判定部２Ｎは、出力するゲートパルス信号のＯＮ／ＯＦＦ及び種別を、溶断信号ＦＵ，ＦＶ，ＦＷ、故障信号ＥＵ，ＥＸ，ＥＶ，ＥＹ，ＥＷ，ＥＺの状態により判定する。切替部２Ｋは、ゲートパルス入信号を用いて出力するゲートパルス信号のＯＮ／ＯＦＦ及び種別を判定部２Ｎによる判定結果に応じて切替える。
【００６１】
ゲートパルス切替部２Ｉの動作を説明する。ゲートパルス切替部２Ｉの判定部２Ｎは、警報接点付きヒューズ４Ｕ，４Ｖ，４Ｗより溶断信号ＦＵ，ＦＶ，ＦＷを入力し、故障検出部２Ｆより故障信号ＥＵ，ＥＸ，ＥＶ，ＥＹ，ＥＷ，ＥＺを入力する。溶断信号ＦＵ，ＦＶ，ＦＷ、故障信号ＥＵ，ＥＸ，ＥＶ，ＥＹ，ＥＷ，ＥＺがすべてＯＦＦの時は、判定部２Ｎは、所定の切替指令信号ＰＳを切替部２Ｋへ出力する。この信号は、ゲートパルス入信号ＰＬＵ，ＰＬＸ，ＰＬＶ，ＰＬＹ，ＰＬＷ，ＰＬＺをゲートパルス信号ＰＵ，ＰＸ，ＰＶ，ＰＹ，ＰＷ，ＰＺとしてそのまま出力するよう指令するための信号である。
【００６２】
また、溶断信号ＦＵがＯＮで、その他の溶断信号ＦＶ，ＦＷ、および故障信号ＥＵ，ＥＸ，ＥＶ，ＥＹ，ＥＷ，ＥＺがＯＦＦの時は、判定部２Ｎは、所定の切替指令信号ＰＳを切替部２Ｋへ出力する。この信号は、ゲートパルス信号ＰＵ，ＰＸをＯＦＦとし、健全相のＶ−Ｗ線間電圧を基準位相として制御されているゲートパルス入信号ＰＬＷ，ＰＬＺを用いて単相運転を行うよう指令するための信号である。
【００６３】
また、溶断信号ＦＶがＯＮで、その他の溶断信号ＦＵ，ＦＷ、および故障信号ＥＵ，ＥＸ，ＥＶ，ＥＹ，ＥＷ，ＥＺがＯＦＦの時は、判定部２Ｎは、所定の切替指令信号ＰＳを切替部２Ｋへ出力する。この信号は、ゲートパルス信号ＰＶ，ＰＹをＯＦＦとし、健全相のＵ−Ｗ線間電圧を基準位相として制御されているゲートパルス入信号ＰＬＵ，ＰＬＸを用いて単相運転を行うよう指令するための信号である。
【００６４】
また、溶断信号ＦＷがＯＮで、その他の溶断信号ＦＵ，ＦＶ、および故障信号ＥＵ，ＥＸ，ＥＶ，ＥＹ，ＥＷ，ＥＺがＯＦＦの時は、判定部２Ｎは、所定の切替指令信号ＰＳを切替部２Ｋへ出力する。この信号は、ゲートパルス信号ＰＷ，ＰＺをＯＦＦとし、健全相のＵ−Ｖ線間電圧を基準位相として制御されているゲートパルス入信号ＰＬＶ，ＰＬＹを用いて単相運転を行うよう指令するための信号である。
【００６５】
また、溶断信号ＦＵ，ＦＶ，ＦＷのうち複数がＯＮとなった場合、サイリスタ整流器の運転は不可能である。この場合、判定部２Ｎは、ゲートパルス信号ＰＵ，ＰＸ，ＰＶ，ＰＹ，ＰＷ，ＰＺを全てＯＦＦとするよう指令するための切替指令信号ＰＳを切替部２Ｋへ出力する。
【００６６】
また、故障信号ＥＵがＯＮで、その他の故障信号ＥＸ，ＥＶ，ＥＹ，ＥＷ，ＥＺ、溶断信号ＦＵ，ＦＶ，ＦＷがＯＦＦの時は、判定部２Ｎは、ゲートパルス信号ＰＶ、ＰＷをＯＦＦするよう切替指令信号ＰＳを切替部２Ｋへ出力する。このように短絡電流を供給するサイリスタ整流器５Ｖ，５Ｗをゲートブロックすることにより、短絡電流を流れないようにすることができる。つまり、短絡故障したサイリスタ整流器５Ｕを導通させたまま、運転を継続できる。
【００６７】
また、故障信号ＥＵ，ＥＸ，ＥＶ，ＥＹ，ＥＷ，ＥＺのうち複数がＯＮとなった場合、サイリスタ整流器の運転は不可能である。この場合、判定部２Ｎは、ゲートパルス信号ＰＵ，ＰＸ，ＰＶ，ＰＹ，ＰＷ，ＰＺを全てＯＦＦとするよう指令するための切替指令信号ＰＳを切替部２Ｋへ出力する。
【００６８】
図１４は、第６の実施形態における半導体電力変換器制御装置の位相制御部の判定部２Ｎにて判定する、出力するゲートパルス信号の種別と溶断信号ＦＵ、ＦＶ，ＦＷ、故障信号ＥＵ、ＥＸ、ＥＶ、ＥＹ、ＥＷ、ＥＺの関係を表形式で示す図である。  
溶断信号のいずれかがＯＮとなった場合に出力するゲートパルス信号の種別は、第１の実施形態で示した図３の表と同じであり、故障信号のいずれかがＯＮとなった場合に出力するゲートパルス信号の種別は、第４の実施形態で示した図１０の表と同じである。
【００６９】
補正部２Ｊは、警報接点付きヒューズ４と故障検出部２Ｆとゲートパルス発生部２Ｂに接続され、サイリスタ制御角信号αと溶断信号ＦＵ、ＦＶ、ＦＷと、故障信号ＥＵ、ＥＸ、ＥＶ、ＥＹ、ＥＷ、ＥＺを入力し、溶断信号ＦＵ、ＦＶ、ＦＷのみが入力されている期間、サイリスタ制御角信号αの制御ゲインを１．５倍に切替え、故障信号ＥＵ、ＥＸ、ＥＶ、ＥＹ、ＥＷ、ＥＺのみが入力されている期間、サイリスタ制御角信号αの制御ゲインを２倍に切替える。
【００７０】
第６の実施形態によれば、第１の実施形態と同じく、サイリスタ整流器５の位相制御を行なう場合、サイリスタ整流器５の１素子の短絡故障が生じて警報接点付きヒューズ４が溶断した場合でも周辺機器への過熱・損傷を抑制しつつ、運転を停止せず単相均一ブリッジとして継続運転できるサイリスタ整流器の制御を行うことができる。
【００７１】
また、第１の実施形態のようにサイリスタ整流器５の１素子の短絡故障が生じて警報接点付きヒューズ４が溶断して単相均一ブリッジとして運転継続した場合、３相均一ブリッジとして運転した場合と比較して、サイリスタ整流器５の出力電圧が０．６７倍に低下する。しかし、第６の実施形態では、第２の実施形態と同じく、サイリスタ制御角信号αの制御ゲインを１．５倍に補正して運転継続をおこなう事で、第１の実施形態のように単相均一ブリッジとして継続運転する場合と比較して、制御系の応答性を悪化させる事なくサイリスタ整流器の制御を行う事ができる。
【００７２】
また、第６の実施形態によれば、第３，４，５の実施形態と同じく、サイリスタ整流器５の１素子の短絡故障が生じたにも関わらず警報接点付きヒューズ４が溶断しない場合でも、故障検出部２Ｆを動作させることで素子故障による過電流の流入相と流出相の関係から故障した素子を特定する事ができ、サイリスタ整流器５の１素子短絡故障未検出に伴う過電流状態の継続による、周辺機器の過熱・損傷を抑制することができる。
【００７３】
また、第６の実施形態によれば、第４，５の実施形態と同じく、サイリスタ整流器５の１素子の短絡故障が生じたにも関わらず警報接点付きヒューズ４が溶断しない場合でも、ゲートパルス切替部２Ｉを動作させることで過電流を抑制して周辺機器への過熱・損傷を抑制しつつ運転を停止せずに、かつ、短絡故障したサイリスタ整流器５を用いて縮退して継続運転できるサイリスタ整流器の制御を行うことができる。
【００７４】
加えて、第６の実施形態によれば、第５の実施形態と同じく、サイリスタ整流器５の１素子の短絡故障が生じたにも関わらず警報接点付きヒューズ４が溶断しない場合で、短絡故障したサイリスタ整流器５を用いて縮退して運転継続した場合、３相均一ブリッジとして運転した場合と比較して、サイリスタ整流器５の出力電圧が約０．５倍に低下する。しかし、第６の実施形態のようにサイリスタ制御角信号αの制御ゲインを２倍に補正して運転継続を行なう事で、第４の実施形態で説明したように短絡故障したサイリスタ整流器を用いて縮退して継続運転する場合と比較して、制御系の応答性を悪化させる事無くサイリスタ整流器を制御する事ができる。
【００７５】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
１…交流電源、２…位相制御部、２Ａ…基準位相検出部、２Ｂ…ゲートパルス発生部、２Ｃ…警報部、２Ｄ，２Ｇ，２Ｉ…ゲートパルス切替部、２Ｅ，２Ｈ，２Ｊ…補正部、２Ｆ…故障検出部、２Ｋ…切替部、２Ｌ，２Ｍ，２Ｎ…判定部、３…界磁遮断器、４…警報接点付きヒューズ、４Ｕ…警報接点付きヒューズ（Ｕ相用）、４Ｖ…警報接点付きヒューズ（Ｖ相用）、４Ｗ…警報接点付きヒューズ（Ｗ相用）、５…サイリスタ整流器、６…負荷７…サイリスタ整流器変流器、７Ｕ…サイリスタ整流器変流器（Ｕ相用）、７Ｖ…サイリスタ整流器変流器（Ｖ相用）、７Ｗ…サイリスタ整流器変流器（Ｗ相用）、８…過電流検出部、８Ｕ，８Ｘ，８Ｖ…流出方向過電流検出部、８Ｙ，８Ｗ，８Ｚ…流入方向過電流検出部、１０Ｕ，１０Ｘ，１０Ｖ，１０Ｙ，１０Ｗ，１０Ｚ…論理積回路、１１Ｕ，１１Ｘ，１１Ｖ，１１Ｙ，１１Ｗ，１１Ｚ…保持部。
【図１】
2015233391.tif 000003
【図２】
2015233391.tif 000004
【図３】
2015233391.tif 000005
【図４】
2015233391.tif 000006
【図５】
2015233391.tif 000007
【図６】
2015233391.tif 000008
【図７】
2015233391.tif 000009
【図８】
2015233391.tif 000010
【図９】
2015233391.tif 000011
【図１０】
2015233391.tif 000012
【図１１】
2015233391.tif 000013
【図１２】
2015233391.tif 000014
【図１３】
2015233391.tif 000015
【図１４】
2015233391.tif 000016
【図１５】
2015233391.tif 000017